(57)【要約】【課題】作業者の熟練度に頼ることなく、比較的簡単にインタフェースブラケットの位置決めを行うことができる乗客コンベアの欄干装置の提供。【解決手段】本発明は、無端状に形成されて移動可能に設けられ、乗客を運ぶ踏み段Ｓと、この踏み段Ｓと同期して移動する移動手摺４とを有するエスカレータ１に配置され、移動手摺４を保持するパネル３Ａ、及びパネル３ａを支持するパネル支え３Ｅを含む欄干部材を支持するトラスフレーム２に取り付けられ、パネル支え３Ｅが固定されるインタフェースブラケット１７を備えた欄干装置において、インタフェースブラケット１７が、トラスフレーム２の上弦材２Ａに固定される第１ブラケット１８と、第１ブラケット１８に上下方向の移動可能に取り付けられ、パネル支え３Ｅが固定される第２ブラケット３０Ａ，３０Ｂとから成る構成にしてある。【選択図】図２
2014047011.tif 000002
【特許請求の範囲】
【請求項１】
無端状に形成されて移動可能に設けられ、乗客を運ぶ踏み段と、この踏み段と同期して移動する移動手摺とを有する乗客コンベアに配置され、
前記移動手摺を保持するパネル、及び前記パネルを支持するパネル支えを含む欄干部材を支持するトラスフレームに取り付けられ、前記パネル支えが固定されるインタフェースブラケットを備えた乗客コンベアの欄干装置において、
前記インタフェースブラケットは、前記トラスフレームの上弦材に固定される第１ブラケットと、前記第１ブラケットに上下方向の移動可能に取り付けられ、前記パネル支えが固定される第２ブラケットとから成ることを特徴とする乗客コンベアの欄干装置。
【請求項２】
請求項１に記載の乗客コンベアの欄干装置において、
前記第２ブラケットを上下方向に移動させるジャッキボルトを備えたことを特徴とする乗客コンベアの欄干装置。
【請求項３】
請求項１または２に記載の乗客コンベアの欄干装置において、
前記第１ブラケットに、前記第２ブラケットを上下方向に案内するガイドを備えたことを特徴とする乗客コンベアの欄干装置。
【発明の詳細な説明】
【技術分野】
【０００１】
本発明は、エスカレータ等の乗客コンベアに備えられ、欄干部材を支持するトラスフレームに取り付けられ、欄干部材に含まれるパネル支えが固定されるインタフェースブラケットを備えた乗客コンベアの欄干装置に関する。
【背景技術】
【０００２】
この種の従来技術は、例えば特許文献１に開示されている。特許文献１には、無端状に形成されて移動可能に設けられ、乗客を運ぶ踏み段と、この踏み段と同期して移動する移動手摺とを有するエスカレータ等の乗客コンベアに配置される欄干装置が示されている。この欄干装置は、移動手摺を保持するパネル、及びパネルを支持するパネル支えを含むブロック欄干と、ブロック欄干を支持するトラスフレームに取り付けられ、パネル支えが固定されるインタフェースブラケットとを備えている。
【０００３】
また、特許文献１には、トラスフレームの上弦材の上に複数のインタフェースブラケットを設置し、これらのインタフェースブラケットの高さ方向及び水平方向と、インタフェースブラケットの上面の水平度をそれぞれ位置決めした後に、インタフェースブラケットにパネル、及びパネル支えを含むブロック欄干を据え付けることが開示されている。
【０００４】
なお、特許文献１には開示されていないが、本発明者は、特許文献１に示される従来技術を適用してトラスフレームの上弦材の上面にインタフェースブラケットを設置するに際して、ジャッキボルトを螺合させるねじ穴４つと、別のボルトが挿入される長穴４つをインタフェースブラケットごとに形成することを確認している。インタフェースブラケットのねじ穴に螺合させたジャッキボルトと、長穴に挿入されるボルトの双方によって、インタフェースブラケットの高さ方向及び水平方向と、ブロック欄干が固定されるインタフェースブラケットの上弦材の上面の水平度がそれぞれ位置決めされ、このように位置決めされたインタフェースブラケットがトラスフレームに固定されるようになっている。
【先行技術文献】
【特許文献】
【０００５】
【特許文献１】特開２００２−３３２１８３号公報
【発明の概要】
【発明が解決しようとする課題】
【０００６】
前述した従来技術では、インタフェースブラケットごとに、インタフェースブラケットの高さ方向、水平方向、及び水平度を位置決めする４本のジャッキボルトが必要になっている。これらのジャッキボルトの締め付け加減、または緩め加減の組み合わせは煩雑なものであり、繰り返し行われる位置決め作業（後戻り作業）が多くなっていた。このようなことから、従来技術にあっては、トラスフレームに対するインタフェースブラケットの取り付けに時間がかかり、欄干装置を据付ける作業の能率向上を見込めなかった。また、従来技術では、作業者に応じて欄干装置の据付け精度にばらつきを生じやすく、このことから欄干装置の据付け作業を行う作業者に対して熟練度が要求されていた。
【０００７】
また、前述のようにしてインタフェースブラケットの高さ方向、水平方向、及び水平度の調整が完了しても、ジャッキボルトでトラスフレームの上弦材に浮かせた状態で保持されているインタフェースブラケットを、ボルトによってトラスフレームに締結した場合に、ボルトの締め付け力によっては、インタフェースブラケットが本来の位置決めした形態から変化してしまうことが起こり得る。このような場合には、ボルトの締め付け前に芯出しした高さ方向、及び水平度の精度が変化しやすい。したがって、再度各位置決めのやり直しが必要となり、作業能率がさらに低下してしまうことになる。
【０００８】
本発明は、前述した従来技術における実情からなされたもので、その目的は、作業者の熟練度に頼ることなく、比較的簡単にインタフェースブラケットの位置決めを行うことができる乗客コンベアの欄干装置を提供することにある。
【課題を解決するための手段】
【０００９】
前記目的を達成するために、本発明に係る乗客コンベアの欄干装置は、無端状に形成されて移動可能に設けられ、乗客を運ぶ踏み段と、この踏み段と同期して移動する移動手摺とを有する乗客コンベアに配置され、前記移動手摺を保持するパネル、及び前記パネルを支持するパネル支えを含む欄干部材を支持するトラスフレームに取り付けられ、前記パネル支えが固定されるインタフェースブラケットを備えた乗客コンベアの欄干装置において、前記インタフェースブラケットは、前記トラスフレームの上弦材に固定される第１ブラケットと、前記第１ブラケットに上下方向の移動可能に取り付けられ、前記パネル支えが固定される第２ブラケットとから成る構成にしてある。
【発明の効果】
【００１０】
本発明によれば、インタフェースブラケットをトラスフレームに取り付けるに際し、第１段階で第２ブラケットを調整して水平方向と、水平度の位置決めを行い、その後の第２段階で第２ブラケットを上下方向に移動させて高さ方向の位置決めを行うことができる。すなわち本発明は、段階的にインタフェースブラケットの水平方向と水平度、及び高さ方向の位置決めを行うので、比較的簡単にインタフェースブラケットの位置決めを行うことができる。これにより本発明は、従来に比べてインタフェースブラケットに欄干部材を据え付ける作業の能率を向上させることができる。また、作業者の熟練度に頼ることなく、安定した精度の高い欄干装置の据え付け形態を実現させることができる。
【図面の簡単な説明】
【００１１】
【図１】本発明に係る欄干装置の一実施形態が配置される乗客コンベアの一例として挙げたエスカレータの要部側面図である。
【図２】図１のＡ−Ａ断面拡大図で、本実施形態に係る欄干装置を示す図である。
【図３】本実施形態の要部を構成するインタフェースブラケットの取り付け状態を示す図である。
【図４】図３のＢ方向から見た図である。
【図５】複数のインタフェースブラケットをトラスフレームに取り付けた状態を示す図である。
【図６】図３，４に示すインタフェースブラケットに、ブロック欄干を取り付けた状態を示す図である。
【発明を実施するための形態】
【００１２】
以下、本発明に係る乗客コンベアの欄干装置の実施の形態を図に基づいて説明する。
【００１３】
図１は本発明に係る欄干装置の一実施形態が配置される乗客コンベアの一例として挙げたエスカレータの要部側面図、図２は図１のＡ−Ａ断面拡大図で、本実施形態に係る欄干装置を示す図、図３は本実施形態の要部を構成するインタフェースブラケットの取り付け状態を示す図、図４は図３のＢ方向から見た図である。
【００１４】
図１に示すように、本実施形態に係る欄干装置が配置される乗客コンベアは、例えばエスカレータ１から成っている。このエスカレータ１は、トラス構造のトラスフレーム２上に取付けられ、無端状に形成されて移動可能に設けられ、乗客を運ぶ踏み段Ｓと、この踏み段Ｓと同期して移動する移動手摺４とを備えている。
【００１５】
このエスカレータ１に配置される本実施形態に係る欄干装置は、例えば工場等で一体的に組み立てられる重量物を構成するブロック欄干３を含んでいる。このブロック欄干３は、図１に示すように、下部ターミナルブロック欄干７、複数の中間ブロック欄干８、及び図示しない上部ターミナルブロック欄干を含んでいる。
【００１６】
各ブロック欄干７，８等、すなわちブロック欄干３は、図２に示すように、移動手摺４を保持する図示しないハンドレールフレームが上部に固定されるパネル３Ａと、このパネル３Ａの下部をパネル縁３Ｃ及びパネル押え板３Ｄとともに狭圧固定するパネル支え３Ｅと、このパネル支え３Ｅに締結される外デッキ用ブラケット３Ｆと、この外デッキ用ブラケット３Ｆの上面に固定された外デッキ３Ｇと、この外デッキ３Ｇに設けられ、外側に突出形成される外モール３Ｈとを含んでいる。
【００１７】
ブロック欄干３は、踏み段Ｓの左右に連続的に立設されるものであり、エスカレータ１の利用客の高所からの転落防止や、利用客の安全を確保するために、パネル３Ａ上の移動手摺４が踏み段Ｓと同期して移動するように案内する装置を構成している。
【００１８】
なお、本実施形態に係る欄干装置は、前述したブロック欄干の他に、踏み段Ｓ側に配置され、パネル縁３Ｃに接続される内デッキ１９と、この内デッキ１９の下方に取付けられ、踏み段Ｓと微小の隙間をもって配置されるスカートガード２０とを備えている。
【００１９】
このような欄干装置を有するエスカレータ１にあっては、利用客の安全上、例えば下部ターミナルブロック欄干７と、隣り合う中間ブロック欄干８の突合せ部で隣接するパネル３Ａ間、及び図示しないハンドレールフレームの接続部などにおいて段差を生じさせないように、意匠性を損なわせないようにする必要がある。外デッキ３Ｇ間においても同様に段差を生じさせないようにする必要がある。
【００２０】
このため、ブロック欄干３の組み立て精度を確保する必要があるが、重量物を支えるトラスフレーム２の上弦材２Ａ上に各ブロック欄干３（７，８等）を直接載せることはトラスフレーム２の組み立て精度上困難となっている。したがって、ブロック欄干３とトラスフレーム２との間にインタフェースブラケット１７を介在させ、このインタフェースブラケット１７でブロック欄干３とトラスフレーム２とを連結するようにしている。したがって、複数のブロック欄干３（７，８等）を含む本実施形態に係る欄干装置の組み立て精度を確保するために、トラスフレーム２に設置するインタフェースブラケット１７の組み立て精度が極めて重要となっている。
【００２１】
本実施形態に備えられるインタフェースブラケット１７は、図３，４に示すように、トラスフレーム２の上弦材２Ａに固定され、側面視Ｕ字状の第１ブラケット１８と、第１ブラケット１８の両側に配置されて第１ブラケット１８に上下方向の移動可能に取り付けられ、それぞれ側面視がＵ字を横倒しにした形状をなし、ブロック欄干３のパネル支え３Ｅが固定される第２ブラケット３０Ａ，３０Ｂとから成っている。
【００２２】
第２ブラケット３０Ａ，３０Ｂは、それぞれ上下方向に延設される長穴３０Ｄを有しており、長穴３０Ｄに挿入され、第１ブラケット１８に形成されたねじ穴に螺合するボルト３３により、第１ブラケット１８に締結される。このような構造とすることにより、ボルト３３を緩めれば、第２ブラケット３０Ａ，３０Ｂのそれぞれは図３に示す上下方向Ｙに移動可能となる。
【００２３】
また、本実施形態は、第２ブラケット３０Ａ，３０Ｂをそれぞれ上下方向に移動させる２本のジャッキボルト３４を備えている。第２ブラケット３０Ａ，３０Ｂのそれぞれの下辺部３０Ｚに組み付けたジャッキボルト３４をトラスフレーム２の上弦材２Ａに接触するように組み込み、さらにこのジャッキボルト３４を締め付けることにより、第２ブラケット３０Ａ，３０Ｂのそれぞれを微小な距離ずつ上方に移動させることができる。
【００２４】
また、本実施形態は、第１ブラケット１８に第２ブラケット３０Ａ，３０Ｂのそれぞれを上下方向に案内するガイド３１を備えている。ガイド３１の摺動面３１Ａが第２ブラケット３０Ａ，３０Ｂそれぞれの両側面部３０Ｃと当接するように４つのガイド３１を第１ブラケット１８にねじ３２によって固定してある。ガイド３１は第２ブラケット３０Ａ，３０Ｂを上下方向に案内するとともに、上下方向以外の動きである振れを抑制している。
【００２５】
このように、インタフェースブラケット１７は、第１ブラケット１８、第２ブラケット３０Ａ，３０Ｂ、ジャッキボルト３４、及びガイド３１を含む複合品で構成されている。
【００２６】
インタフェースブラケット１７のガイド３１の第１ブラケット１８への締結固定や、第１ブラケット１８の両辺部に組み付けられる第２ブラケット３０Ａ，３０Ｂの上辺部の水平度Ｚの確保や、ガイド３１を第２ブラケット３０Ａ，３０Ｂの両側部３０Ｃに当接させる調整作業は、予め製作工場でなされる。
【００２７】
前述のように構成される欄干装置のブロック欄干３をトラスフレーム２へ設置する手順について以下に説明する。
【００２８】
図５は複数のインタフェースブラケットをトラスフレームに取り付けた状態を示す図、図６は図３，４に示すインタフェースブラケットに、ブロック欄干を取り付けた状態を示す図である。
【００２９】
まず、既設のトラスフレーム２、あるいは新しく搬入し設置したトラスフレーム２の上弦材２Ａの上面の長手方向に沿って、図５に示すように、所定の間隔で複数のインタフェースブラケット１７を設置し、各インタフェースブラケット１７をボルト３６でトラスフレーム２の上弦材２Ａに仮固定する。
【００３０】
次に、複数のインタフェースブラケット１７の図３に示す幅方向Ｗ１の位置決めを行うために、トラスフレーム２の上方に、図５等に示すようにピアノ線Ｌ１を張り渡し、このピアノ線Ｌ１に基づいてインタフェースブラケット１７の第２ブラケット３０Ａ，３０Ｂの側面部３０Ｃのそれぞれを位置決めし、第２ブラケット３０Ａ，３０Ｂの上辺部の図３に示す水平度Ｚを確保する。このように第２ブラケット３０Ａ，３０Ｂの高さ方向の位置決めが完了していない状態で、インタフェースブラケット１７をボルト３６でトラスフレーム２の上弦材２Ａに本固定する。なお、前述した図３に示す幅寸法Ｗ１の位置決めにより、ブロック欄干３の取り付け時の同図３に示す水平寸法Ｗ３が位置決めされる。
【００３１】
次に、ブロック欄干３を載せる第２ブラケット３０Ａ，３０Ｂの上辺部の高さを図６等に示す所定の高さ寸法Ｈ１に調整するために、インタフェースブラケット１７の第１ブラケット１８と、第２ブラケット３０Ａ，３０Ｂとを締結していたボルト３３を一旦緩めた後、ジャッキボルト３４により図５等に示すピアノ線Ｌ２の位置に合うように、第２ブラケット３０Ａ，３０Ｂのそれぞれを上下方向に移動させ、高さ寸法Ｈ１の位置決めを行う。位置決め後、第１ブラケット１８と第２ブラケット３０Ａ，３０Ｂとをボルト３３によって再締結する。これによって、インタフェースブラケット１７の位置決め及び固定が完了する。
【００３２】
前述した第２ブラケット３０Ａ，３０Ｂを上下方向に移動させて高さ寸法Ｈ１を位置決めする間、第２ブラケット３０Ａ，３０Ｂのそれぞれの側面部３０Ｃが第１ブラケット１８のガイド３１によって案内されるので、第２ブラケット３０Ａ，３０Ｂが上下方向以外に動くことが抑制され、位置決めの初期段階で確保した第２ブラケット３０Ａ，３０Ｂの上辺部の水平度Ｚを不変に保つことができる。
【００３３】
つまり、インタフェースブラケット１７の組み付け精度は、前述したように本実施形態に係る欄干装置全体の組み付け精度に直接影響することから、図３に示す幅寸法Ｗ１、図６等に示す高さ寸法Ｈ１、及びブロック欄干３を載せる第２ブラケット３０Ａ，３０Ｂの上辺部の水平度Ｚの３要素の精度を確保する必要がある。本実施形態は前述したように、いきなり前述の３要素の精度を確保することなく、第１段階で幅寸法Ｗ１と、ブロック欄干３を載せる第２ブラケット３０Ａ，３０Ｂの上辺部の水平度Ｚの２要素の精度を確保し、第２段階で高さ寸法Ｈ１の１要素の精度を確保するようにしてある。
【００３４】
前述のようにしてインタフェースブラケット１７を、トラスフレーム２の上弦材２Ａの全体に配置して締結を完了した後に、ブロック欄干３をインタフェースブラケット１７に据え付ける作業が行われる。
【００３５】
すなわち、ブロック欄干３の強度部材であり主要部材である図６に示すパネル支え３Ｅの側面部３Ｉをインタフェースブラケット１７の第２ブラケット３０Ａ，３０Ｂの上部側端部に当接させ、さらにパネル支え３Ｅの下面部３Ｊに設けられた貫通穴と、第２ブラケット３０Ａ，３０Ｂの上辺部に設けられた図３，４に示す貫通穴３０Ｅにボルト４０を挿入し、このボルト４０に螺合するナットを回転させて、パネル支え３Ｅを第２ブラケット３０Ａ，３０Ｂに固定する。
【００３６】
このようにインタフェースブラケット１７に据え付けられたブロック欄干３の位置決め精度は、インタフェースブラケット１７の各部にブロック欄干３のパネル支え３Ｅを当接させ載置することにより、インタフェースブラケット１７の位置決め精度に応じた高い位置決め精度とすることができる。
【００３７】
したがって、例えば図１に示す下部ターミナルブロック欄干７と隣り合う中間ブロック欄干８の突合せ部で隣接するパネル３Ａ間、及び図示しないハンドレールフレームの接続部、隣り合う外デッキ３Ｇ間などにおいて、段差を生じさせることがなく、安全性及び意匠性に優れた欄干装置の形態とすることができる。
【００３８】
以上のように構成した本実施形態に係る欄干装置によれば、前述のようにインタフェースブラケット１７をトラスフレーム２に取り付けるに際し、第１段階で第２ブラケット３０Ａ，３０Ｂを調整して水平方向、すなわち幅寸法Ｗ１と水平寸法Ｗ３の位置決めと、水平度Ｚの位置決めを行い、その後の第２段階で第２ブラケット３０Ａ，３０Ｂを上下方向に移動させて高さ方向、すなわち高さ寸法Ｈ１の位置決めを行うことができる。すなわち本実施形態は、段階的にインタフェースブラケット１７の水平方向と水平度、及び高さ方向の位置決めを行うので、比較的簡単にインタフェースブラケット１７の位置決めを行うことができる。これにより本実施形態は、インタフェースブラケット１７に欄干部材を据え付ける作業の能率を向上させることができる。また、作業者の熟練度に頼ることなく、安定して精度の高い欄干装置の据え付け形態を実現させることができる。
【００３９】
なお、前述した実施形態では、インタフェースブラケット１７に載置し固定する構造物を複合品が予め一体に設けられたブロック欄干３としたが、本発明に係る欄干装置は、ブロック欄干３を備えることには限定されない。ブロック欄干３のように複合品を一体化させたものとせず、単品のものをそれぞれインタフェースブラケット１７上に組み付けるようにしてもよい。
【符号の説明】
【００４０】
１    エスカレータ（乗客コンベア）
２    トラスフレーム
２Ａ  上弦材
３    ブロック欄干
３Ａ  パネル
３Ｃ  パネル縁
３Ｄ  パネル押え板
３Ｅ  パネル支え
３Ｆ  外デッキ用ブラケット
３Ｇ  外デッキ
３Ｈ  外モール
４    移動手摺
７    下部ターミナルブロック欄干
８    中間ブロック欄干
１７    インタフェースブラケット
１８    第１ブラケット
３０Ａ  第２ブラケット
３０Ｂ  第２ブラケット
３０Ｃ  側面部
３０Ｄ  長穴
３０Ｅ  貫通穴
３０Ｚ  下辺部
３１    ガイド
３１Ａ  摺動面
３２    ねじ
３３    ボルト
３４    ジャッキボルト
３６    ボルト
４０    ボルト
Ｓ    踏み段
【図１】
2014047011.tif 000003
【図２】
2014047011.tif 000004
【図３】
2014047011.tif 000005
【図４】
2014047011.tif 000006
【図５】
2014047011.tif 000007
【図６】
2014047011.tif 000008